(57)【特許請求の範囲】
【請求項１】
扉の自由側端縁付近において扉面とほぼ平行で鉛直方向に延在するハンドルの一端を、ラッチボルトを支持する錠箱に見込み方向において重合するように配設すると共に、ハンドル１の一端部を扉面に装着された第１支持座に、他端部を第２支持座に、夫々ハンドル全体が鉛直軸の回りを回動できるように支持、案内し、一方、テープ状の弾性体の一端部を一定曲率で厚さ方向に曲げ成形した円弧部と、この円弧部に連接された直線部とからなり、全体の形状がＪ字形の駆動ばねの一端部を、ハンドルの一端に同軸に装着され、駆動ばねの円弧部よりやや大きな半径の作動体に巻き掛けると共に駆動ばねの一端を作動体の外周面に固定し、他方、駆動ばねの他端を扉面に装着された第１支持座、扉面及び錠箱の側面を貫通させて錠箱内のラッチボルト操作機構に係合可能に臨ませたことを特徴とする扉のハンドル装置。
【発明の詳細な説明】
【０００１】
【発明の属する技術分野】
この発明は、扉のハンドル装置に係り、特に、使い勝手が良く、しかも構造が簡単な扉のハンドル装置に関する。
【０００２】
【従来の技術】
本出願人等は、先に、例えば特願平７−８８７８３号、特願平７−９７７８６号、特願平８−１４０８８４号、或いは特願平９−２００９８９号を以て、新規な扉のハンドル装置を提案した。
【０００３】
これらの扉のハンドル装置は、何れも、ハンドルを扉の見込み方向、すなわち扉面に垂直な方向において扉に対して相対的に移動可能に案内し、扉を開け閉めするときハンドルの扉面に対する相対運動を利用してラッチボルトを錠箱内に引込ませるように構成されている。
【０００４】
したがって、例えば室内から室外に出るとき扉を外側に開く扉では、ハンドルを扉に近接する方向に押動することによりラッチボルトを錠箱内に引込ませるので、室外に出るときハンドルを握ってこれを室外側に押動することにより、ラッチボルトの引込み操作及び開扉操作を同じ方向の一操作でできるという利点がある。
【０００５】
この扉を外側から操作するときには、室外側のハンドルを引くことによりラッチボルトを錠箱内に引込ませて開扉し、入室後室内側のハンドルを引いて扉を閉めるが、室内側のハンドルを引くときにはラッチボルトを操作しない。
【０００６】
この場合には、従来のものと同様に、ラッチボルトの外端の斜面とストライクとの係合によって生じる楔作用によりラッチボルトは自動的に錠箱内に引込み、扉が完全に閉ったとき、ラッチボルトがラッチボルトばねの弾力によりフロント板から突出し、ストライク板のラッチボルト孔に自動的に投入される。
【０００７】
【発明が解決しようとする課題】
上記した構造の扉のハンドル装置は、ハンドルを握った手の一方向の一動作でラッチボルトの操作と扉の開閉操作を連続して行うことができる、という利点はあるものの、ハンドルが扉に対して相対的に移動可能であるため、扉の開閉操作に心理的に少し違和感がある、という恨みが残る。
【０００８】
すなわち、通常の扉の外部操作部材、例えばノブ、レバー或いはハンドルは扉面に固定されており、かつ住人はそれに慣れているので、ハンドルが見込み方向に可動である、換言すればぐらぐらしているのは、例えそれがラッチボルトを錠箱内に引込ませるために必要であっても、心理的に或いは人間工学的に少し抵抗がある。
【０００９】
また、通常ハンドルを扉面に平行な状態で見込み方向に移動可能に案内するため、ハンドルをリンク機構で支持する場合が多く、したがって構造が複雑になる、という不都合がある。
【００１０】
更にまた、ハンドルを扉に対し相対的に移動させてラッチボルトを錠箱内に引込ませる機構は、扉をラッチボルトを介して一時的に扉枠に係止する必要があり、この場合ラッチボルトの先端のラッチヘッドにストライク板からの側圧がかかるので、ハンドル操作に少し抵抗がある、換言すればハンドル操作が円滑ではない、という不都合もある。
【００１１】
そこで、この発明は、上記した種々の不都合を解消し、使い勝手が良く、構造が簡単であり、しかも作動が円滑な扉のハンドル装置を提供することを目的としている。
【００１２】
【課題を解決するための手段】
上記の目的を達成するため、この発明は、扉の自由側端縁付近において扉面とほぼ平行で鉛直方向に延在するハンドルの一端を、ラッチボルトを支持する錠箱に見込み方向において重合するように配設すると共に、ハンドル１の一端部を扉面に装着された第１支持座に、他端部を第２支持座に、夫々ハンドル全体が鉛直軸の回りを回動できるように支持、案内し、一方、テープ状の弾性体の一端部を一定曲率で厚さ方向に曲げ成形した円弧部と、この円弧部に連接された直線部とからなり、全体の形状がＪ字形の駆動ばねの一端部を、ハンドルの一端に同軸に装着され、駆動ばねの円弧部よりやや大きな半径の作動体に巻き掛けると共に駆動ばねの一端を作動体の外周面に固定し、他方、駆動ばねの他端を扉面に装着された第１支持座、扉面及び錠箱の側面を貫通させて錠箱内のラッチボルト操作機構に係合可能に臨ませたことを特徴とする。
【００１３】
【実施例】
以下この発明の実施例を図面を参照して説明する。
図１において符号１は室外側のハンドルを示し、このハンドル１は扉の自由側端縁付近の内面において、扉２の内面又は外面（図２に示すものは外面）にほぼ平行で鉛直方向に延在する棒状体である。
【００１４】
なお、この発明は、図示の実施例のように直線的な棒状のハンドルのみならず、細長い板状のハンドル、或いは任意の断面形状のハンドル、又は全体が少し湾曲したハンドル、等種々の形状のハンドルに適用できる。
【００１５】
そして、この発明による扉のハンドル装置の作動を先に述べれば、例えばハンドル１の任意の箇所を軽く握って矢印Ａ方向（上方から見て反時計方向）に例えば６０〜７０度回すことによりラッチボルトを錠箱内に引込ませ、ハンドルをその作動位置に置いた状態で例えばハンドルを引いて扉２を開いて室内に入る。
【００１６】
ラッチボルトを扉枠のストライク板から抜き外し、扉を少しでも開いた後は、ハンドルを作動位置に拘束する必要はない。
【００１７】
図示の実施例におけるハンドル１は、図２及び図３に示すように、横断面形状が円形のパイプであり、その一端（上端）が、扉２の自由側端縁部に埋設され、図示しないラッチボルトを支持する錠箱３と扉２の見込み方向（図２で左右方向）において重合するように配設されている。
【００１８】
このハンドル１の一端部は第１支持座４に、他端部（下端部）は第２支持座５に、夫々鉛直軸の回りを回動できるように支持、案内されている。
【００１９】
図示の実施例における各支持座４（５）は、扉面に近い方から順に、扉面に装着される基盤６、横断面形状が略細長い小判形の連結部７及びカップ状の案内筒部８を一体に結合したものである。
【００２０】
上記案内筒部８は、第１支持座４のそれは開口を下向きにし、第２支持座５においては開口を上向きにしてあるのは図３に示すとおりである。
【００２１】
また、少なくとも第１支持座４における連結部７は、図４に示すように中空になっており、後述する駆動ばねの直線部を通すことができるように構成されている。
【００２２】
一方、図３に示すように、ハンドル１の上端開口には、大径部がハンドル１の外径と同径の段付の短円柱体である作動体９の下方の小径部が圧入、焼嵌め或いはねじ止め等の結合手段により嵌着され、このようにしてハンドル１の上端に作動体９が装着されている。
【００２３】
この作動体９の上方の小径部には、図２及び図３に示すように、駆動ばね１１の一端部（右端部）が巻き掛けられており、その一端はばね止めピース１２を介して、付番しない皿ビスによってねじ止めされている。
【００２４】
上記駆動ばね１１は例えば薄い金属板、或いは合成樹脂板を細長く裁断したテープ状の条帯であって、後述するようにその直線部を錠箱方向に押動してラッチボルト操作機構を駆動する関係上、座屈を避けるため、ラッチボルト操作機構の負荷及び駆動ばねの材質に応じて、その幅、長さ及び厚さを適切に設定するものとする。
【００２５】
また、上記駆動ばね１１は、図５及び図６に示すように、一端部（右端部）を一定曲率で厚さ方向に曲げ成形して円弧部１３を形成し、この円弧部１３に直線部１４を連接してなる。
【００２６】
更にまた、駆動ばね１１の剛性を増大させるため、その横断面形状を巻尺のように中高の弓状（コンヴェックス）にするを可とする（図４参照）。
【００２７】
上記した構成の駆動ばね１１の一端部を、図２及び図３に示すように、ハンドル１の一端部に装着された作動体９の上端部に巻き掛け、一端を上記したようにして固定する。
【００２８】
このとき、作動体の外径を駆動ばね１１の一端部の曲率よりやや大きめに設定すると、駆動ばね１１の一端部は作動体９に密着する。
【００２９】
ちなみに、駆動ばね１１の直線部を第１支持座の連結部７中に通すには、ハンドル１の一端部を第１支持座の案内筒部８に嵌合させる以前に、駆動ばねの直線部１４を作動体９に巻きつけ、例えば粘着テープにより他端を固定する。
【００３０】
そして、ハンドル１の一端部を案内筒部８に嵌合させた後、第１支持座の基盤６の裏面の開口からピンセットを差込んで上記粘着テープをはがし、駆動ばねの直線部１４を連結部７の中空部内に導入して外側に引出す。
【００３１】
この状態で駆動ばね１１の他端（図３で左端）を少し引出すと、引出し量と同じ長さの円弧部１３が巻き解れて（ほぐれて）作動体９から離れる。
【００３２】
すると、この巻き解れた部分が元に戻って作動体９に再び巻きつこうとするので、駆動ばね１１の他端にはこれを外方に、すなわちハンドル１方向に付勢する弾力が生じる。
【００３３】
ちなみに、これを利用したばねが自然密着形の渦巻きばねと称されるばねであって、このばねはばね定数が０（ゼロ）に近いことが特徴で、コンストン（登録商標）ばね、或いはテンザトール（登録商標）ばねという名称で市販されている。
【００３４】
このばね作用を利用して、図３及び図６に示すように、駆動ばねの直線部１４の所定の箇所にその長さ方向に沿って案内スリット１５を形成し、この案内スリットの外端を第１支持座の連結部７内に突設した係止ピン１６（図４参照）に引っ掛ける。
【００３５】
すると、上記ばね力が係止ピン１６と作動体１１との間に内力として作用し、駆動ばね１１の位置や姿勢が確りと保持される。
【００３６】
上記のように構成された室外側の扉のハンドル装置と同様の構成のハンドル装置を室内側にも設け、これらを連結ねじ１７、１７（図３参照）で相互に連結すると共に扉面の内外に装着する。
【００３７】
そのため、外側の支持座の基盤６の扉面に接合する内面には盲穴としての雌ねじ孔を形成し（図示せず）、内側のそれには連結ねじが挿通する穴を開口させて、室内側からその穴に連結ねじ１７を挿通してねじ回すことにより、室外側の支持座を扉表面に呼びつけると共に、室内側のそれを扉内面に固定する。
【００３８】
上記のように構成されたこの発明の一実施例による扉のハンドル装置は、ハンドル１に外力が作用しない常態においては、駆動ばね１１の円弧部１３が呈する弾力により内外の駆動ばねの他端は図３に実線で示す待機位置にあり、駆動ばね１１の他端はラッチボルト操作機構と係合していない。
【００３９】
なお、ここでラッチボルト操作機構とは、例えば通常の錠前におけるリトラクター等の機構、或いは力の方向を転換するレバー装置等をいうものとする。
【００４０】
上記のように構成されたこの発明の一実施例による扉のハンドル装置は、図１で例えば外出から帰った家人がハンドル１を軽く握ってこれを矢印Ａ方向、すなわち上方から見て半時計方向に少し回すと、ハンドルの一端の駆動ばねの円弧部１３が強制的に巻き解されるので、その直線部１４が錠箱方向に移動し、その他端がラッチボルト操作機構を押動してラッチボルトを錠箱内に引込ませる。
【００４１】
このとき、駆動ばね１１の案内スリット１５の長さにより駆動ばねの他端（作動端）の行程を規定することができる。
【００４２】
そこで、その状態でハンドル１を手前に引くと、扉は外側に開くから、適当な時期にハンドル１を自由にして、或いはハンドル１を作動位置に置いたまま手前に引けば扉口が開いて人の出入りが可能になる。
【００４３】
ちなみに、ハンドル１から手を放してハンドルを自由にすると、前記した駆動ばねの円弧部１３が呈するばね作用によりその巻き解れた部分が速やかに作動体９に巻きつき、ハンドル１が元の待機角度位置に復帰すると共に、駆動ばね１１の他端が速やかにラッチボルト操作機構から離間して図３に示す待機位置に戻る。
【００４４】
つまり、駆動ばね１１はラッチボルト操作機構の駆動部材としても、またハンドル１の復帰ばねとしても機能する。
【００４５】
このとき、ハンドル１は全体として少し鉛直軸の回りを回動するのみで、ハンドル１は扉面に対し見込み方向において不動であるから、ハンドルの操作そのものは従来のものと変らない。
【００４６】
扉を閉めるときには、ハンドル１を作動位置においても、待機位置においても、ラッチボルトの先端の斜面とストライク板との間の楔作用により、ラッチボルトは自動的にラッチボルト孔に投入される。
【００４７】
【発明の効果】
以上の説明から明らかなように、この発明は、ラッチボルトを引込ませる際鉛直に延在するハンドルを握って鉛直軸の回りを少し回動させるようにしたので、ハンドルの押し引きの際ハンドルと扉面との間隔が従来のものと同様に変化せず、したがって使い勝手が良い。
【００４８】
また、ハンドルの両端を回動可能に支承し、その一端に駆動ばねを固定するだけで良いので、この駆動ばねがハンドルの復帰ばねを兼ねることとも相俟て、構造が非常に簡単になる。
【００４９】
更にまた、このハンドル装置の作動時ラッチボルトの先端に側圧がかからないので、作動が円滑である、等種々の効果を奏する。
【図面の簡単な説明】
【図１】この発明の一実施例による扉のハンドル装置を装着した扉の室外側からの線図的正面図。
【図２】扉のハンドル装置の一部断面平面図。
【図３】扉のハンドル装置の一部断面側面図。
【図４】第２図のＩＶ−ＩＶ線による断面図。
【図５】駆動ばねの平面図。
【図６】駆動ばねの側面図。
【符号の説明】
１  ハンドル
２  扉
３  錠箱
４  第１支持座
５  第２支持座
６  基盤
７  連結部
８  案内筒部
９  作動体
１１  駆動ばね
【図１】
0004020547.tif 000002
【図２】
0004020547.tif 000003
【図３】
0004020547.tif 000004
【図４】
0004020547.tif 000005
【図５】
0004020547.tif 000006
【図６】
0004020547.tif 000007